(57)【要約】【課題】消費電力を低減した、ハーフミラーを用いて２つのディスプレイの映像を同一視角範囲内の映像として観察者に視認させる「表示システム」を提供する。【解決手段】領域毎に透過率/反射率を制御可能な調光ミラーアレイ１３の、ハーフミラーとして機能させた領域は、第１ディスプレイ１１の映像を観察者方向に透過すると共に第２ディスプレイ１２の映像を観察者方向に反射する。また、調光ミラーの透明に制御された領域は、当該領域を透過する第１ディスプレイ１１の映像のみを観察者方向に出力する。制御ユニット５は、調光ミラーアレイ１３の、第１ディスプレイ１１の映像上に重ねて表示するために第２ディスプレイ１２に表示する表示オブジェクト４０１の映像に対応する領域４１１のみをハーフミラーとして機能するよう制御し、他の領域については透明に制御する。【選択図】図４
2014160167.tif 000002
【特許請求の範囲】
【請求項１】
第１の像と第２の像とが重なって視認されるように映像を表示する表示システムであって、
前記第１の像を含む第１の映像を表示する第１ディスプレイと、
前記第２の像を含む第２の映像を表示する第２ディスプレイと、
領域毎に透過率及び反射率を制御可能な調光ミラーと、
制御手段とを有し、
前記調光ミラーの、透過率及び反射率がハーフミラーとして機能するように制御された領域は、当該領域に前記第１のディスプレイから入射する前記第１の映像の部分を観察者方向に透過すると共に、当該領域に前記第２のディスプレイから入射する前記第２の映像の部分を観察者方向に反射し、
前記調光ミラーの、透過率及び反射率が透明体として機能するように制御された領域は、当該領域に前記第２のディスプレイから入射する前記第２の映像の部分の観察者方向への反射は行わずに、当該領域に前記第１のディスプレイから入射する前記第１の映像の部分を観察者方向に透過し、
前記制御手段は、前記調光ミラーの前記第２の像が前記第２ディスプレイから入射する領域の透過率及び反射率をハーフミラーとして機能するよう制御し、他の領域の透過率及び反射率を透明体として機能するように制御することを特徴とする表示システム。
【請求項２】
請求項１記載の表示システムであって、
前記制御手段は、前記第１ディスプレイに表示する前記第１の映像の、前記調光ミラーのハーフミラーとして機能するよう制御した領域に入射する部分の明るさを増加させることを特徴とする表示システム。
【請求項３】
請求項２記載の表示システムであって、
前記第１ディスプレイは表示領域毎に明るさ調整が可能であり、
前記制御手段は、前記第１ディスプレイに表示する前記第１の映像の、前記調光ミラーのハーフミラーとして機能するよう制御した領域に入射する部分が表示される表示領域の明るさを増加させることを特徴とする表示システム。
【請求項４】
請求項１、２または３記載の表示システムであって、
当該表示システムは、自動車に搭載され、
前記制御手段は、前記自動車のバッテリの残量が所定レベルより小さい場合には、前記第２ディスプレイへの映像の表示を抑止し、前記調光ミラーの全ての領域の透過率及び反射率を透明体として機能するように制御することを特徴とする表示システム。
【請求項５】
請求項１、２または３記載の表示システムであって、
前記制御手段は、所定の契機で、前記第２ディスプレイへの映像の表示を抑止し、前記調光ミラーの全ての領域の透過率及び反射率を透明体として機能するように制御すると共に、前記第２の映像を前記第１の映像に合成して、前記第１ディスプレイに表示することを特徴とする表示システム。
【発明の詳細な説明】
【技術分野】
【０００１】
本発明は、ハーフミラーを用いて２つのディスプレイの映像を同一視角範囲内の映像として観察者に視認させる表示システムに関するものである。
【背景技術】
【０００２】
ハーフミラーを用いて２つのディスプレイの映像を同一視角範囲内の映像として観察者に視認させる表示システムとしては、第１ディスプレイと、第２ディスプレイと、第１ディスプレイの映像を観察者方向に透過すると共に第２ディスプレイの映像を観察者方向に反射するハーフミラーを備え、第１ディスプレイの映像より近くに第２ディスプレイの映像が位置するように観察者に視認させることにより、３Ｄ表示を行う表示システムが知られている（たとえば、特許文献１）。
【０００３】
また、表示システムにおいて、ハーフミラーとして、光の透過率と反射率を制御できる調光ミラーを用いることも知られている（たとえば、特許文献２）
【先行技術文献】
【特許文献】
【０００４】
【特許文献１】特開２００４-２４１９６２号公報
【特許文献２】特開２００４-２９９５９１号公報
【発明の概要】
【発明が解決しようとする課題】
【０００５】
上述したような、第１ディスプレイと、第２ディスプレイと、第１ディスプレイの映像を観察者方向に透過すると共に第２ディスプレイの映像を観察者方向に反射するハーフミラーを備えた表示システムによれば、第１ディスプレイの映像の輝度がハーフミラーを透過する際に減衰するため、当該減衰分、第１ディスプレイの明るさ（輝度）を大きく維持する必要があり、このことが表示システムの消費電力を大きくする要因となっていた。
【０００６】
そこで、本発明は、ハーフミラーを用いて２つのディスプレイの映像を同一視角範囲内の映像として観察者に視認させる表示システムの消費電力を低減することを課題とする。
【課題を解決するための手段】
【０００７】
前記課題達成のために、本発明は、第１の像と第２の像とが重なって視認されるように映像を表示する表示システムに、前記第１の像を含む第１の映像を表示する第１ディスプレイと、前記第２の像を含む第２の映像を表示する第２ディスプレイと、領域毎に透過率及び反射率を制御可能な調光ミラーと、制御手段とを設ける。ただし、前記調光ミラーの、透過率及び反射率がハーフミラーとして機能するように制御された領域は、当該領域に前記第１ディスプレイから入射する前記第１の映像の部分を観察者方向に透過すると共に、当該領域に前記第２ディスプレイから入射する前記第２の映像の部分を観察者方向に反射し、前記調光ミラーの、透過率及び反射率が透明体として機能するように制御された領域は、当該領域に前記第２ディスプレイから入射する前記第２の映像の部分の観察者方向への反射は行わずに、当該領域に前記第１ディスプレイから入射する前記第１の映像の部分を観察者方向に透過するものである。また、前記制御手段は、前記調光ミラーの前記第２の像が前記第２ディスプレイから入射する領域をハーフミラーとして機能するよう制御し、他の領域を透明体として機能するように制御するものである。
【０００８】
このような表示システムによれば、第１ディスプレイに表示する第１映像の前記第２の像と重なって視認されない部分の映像は、調光ミラーの透明体として機能するように制御された領域を観察者方向に透過するので、ハーフミラーを透過する場合のように大きな減衰無く観察者に届く。したがって、第１ディスプレイの第１映像の前記第２の像と重なって視認されない部分を表示する表示領域については、その明るさ（輝度）を大きく維持する必要がなくなり、結果、表示システムの消費電力を低減することができるようになる。
【０００９】
また、第１ディスプレイの第１映像の前記第２の像と重なる部分を表示する表示領域の表示内容が前記第２の像によって隠れてしまってもかまわないものである場合や、当該表示領域の表示内容が全面黒である場合には、当該表示領域についても、その明るさを大きく維持する必要がない。よって、このような場合には、第１ディスプレイの全体について明るさを大きく維持する必要がなくなり、さらに、表示システムの消費電力を低減することができるようになる。
【００１０】
ここで、このような表示システムは、前記制御手段において、前記第１ディスプレイに表示する前記第１の映像の、前記調光ミラーのハーフミラーとして機能するよう制御した領域に入射する部分の明るさを増加させるように構成し、第１ディスプレイの第１映像の前記第２の像と重なる部分についても、観察者が、調光ミラーによる減衰の影響なく良好に視認できるようにしてもよい。
【００１１】
また、この場合において、前記第１ディスプレイを表示領域毎に明るさ調整が可能に構成し、前記制御手段において、前記第１ディスプレイに表示する前記第１の映像の、前記調光ミラーのハーフミラーとして機能するよう制御した領域に入射する部分が表示される表示領域の明るさを増加させるようにしてもよい。
【００１２】
なお、以上の表示システムは、自動車に搭載されるものであってよく、この場合、前記制御手段において、前記自動車のバッテリの残量が所定レベルより小さい場合には、前記第２ディスプレイへの映像の表示を抑止し、前記調光ミラーの全ての領域を透明に制御するようにしてもよい。
【００１３】
また、以上の表示システムは、前記制御手段において、所定の契機で、前記第２ディスプレイへの映像の表示を抑止し、前記調光ミラーの全ての領域の透過率及び反射率を透明体として機能するように制御すると共に、前記第２の映像を前記第１の映像に合成して、前記第１ディスプレイに表示するように構成してもよい。
【発明の効果】
【００１４】
以上のように、本発明によれば、ハーフミラーを用いて２つのディスプレイの映像を同一視角範囲内の映像として観察者に視認させる表示システムの消費電力を低減することができる。
【図面の簡単な説明】
【００１５】
【図１】本発明の実施形態に係る表示システムの構成を示すブロック図である。
【図２】本発明の実施形態に係る表示システムの配置関係を示す図である。
【図３】本発明の実施形態に係る３Ｄ表示制御処理を示すフローチャートである。
【図４】本発明の実施形態に係る３Ｄ表示制御処理による表示例を示す図である。
【図５】本発明の実施形態に係る３Ｄ表示制御処理による表示例を示す図である。
【発明を実施するための形態】
【００１６】
以下、本発明の実施形態について自動車のメータクラスタ内に搭載される表示システムへの適用を例にとり説明する。
図１に、本実施形態に係る表示システムの構成を示す。
図示するように表示システムは、ディスプレイユニット１、第１ディスプレイコントローラ２、第２ディスプレイコントローラ３、調光ミラーアレイコントローラ４、制御ユニット５、表示システムが搭載された自動車の走行状態やバッテリの残量などの各種状態を検出する車両状態センサ６を備えている。
【００１７】
そして、ディスプレイユニット１は、第１ディスプレイ１１と第２ディスプレイ１２と調光ミラーアレイ１３とを含む。
また、第１ディスプレイ１１は、第１ＬＣＤ(Liquid Crystal Display)パネル１１１と第１ＬＣＤパネル１１１を背面より照明する第１バックライト１１２とを備えている。また、同様に、第２ディスプレイ１２は、第２ＬＣＤパネル１２１と第２ＬＣＤパネル１２１を背面より照明する第２バックライト１２２とを備えている。
【００１８】
ここで、ディスプレイユニット１は、図２ａに示すように、自動車のメータクラスタ内に配置される。
また、図２ｂに示すように、第１ディスプレイ１１は、第１ＬＣＤパネル１１１の表示面を観察者方向（自動車後方）に向けて配置されている。また、第２ディスプレイ１２は第２ＬＣＤパネル１２１の表示面を上方に向けて、第１ディスプレイ１１の下方の位置に配置されている。
【００１９】
次に、図３に示すように、調光ミラーアレイ１３は、光の透過率と反射率を電気的に制御できる調光ミラー１３１を縦横に格子状に配置したものである。
そして、図２ｂに示すように、このような調光ミラーアレイ１３は、第１ディスプレイ１１と第２ディスプレイ１２の間に、第１ＬＣＤの表示面と第２ＬＣＤの表示面の双方に対して傾けて配置されている。
そして、透過率５０％、反射率５０％に設定された調光ミラー１３１に第１ディスプレイ１１から観察者方向に入射する映像光は当該調光ミラー１３１で減衰されながら、そのまま透過して観察者に視認される。また、透過率５０％、反射率５０％に設定された調光ミラー１３１に第２ディスプレイ１２から上方向に入射する映像光も、当該調光ミラー１３１で反射して観察者方向に向きを変え、当該調光ミラー１３１を透過した第１ディスプレイ１１の映像光と共に、観察者に視認される。
【００２０】
一方、透過率１００％、反射率０％に設定された調光ミラー１３１に第１ディスプレイ１１から観察者方向に入射する映像光は当該調光ミラー１３１を、およそ減衰することなく、そのまま透過して観察者に視認されるが、当該調光ミラー１３１に第２ディスプレイ１２から入射する映像光は当該調光ミラー１３１で反射することはなく、観察者に視認されることもない。
【００２１】
結果、調光ミラー１３１を、透過率５０％、反射率５０％と、透過率１００％、反射率０％とのいずれかに設定するものとした場合、観察者には、調光ミラーアレイ１３の各調光ミラー１３１を透過した第１ディスプレイ１１の映像光により形成される映像と、調光ミラーアレイ１３の透過率５０％、反射率５０％に設定された各調光ミラー１３１で反射した第２ディスプレイ１２の映像光により形成される映像が視認されることとなる。また、第１ディスプレイ１１の映像光により形成される映像よりも、第２ディスプレイ１２の映像光により形成される映像が、より近い位置に視認されるように第１ディスプレイ１１、第２ディスプレイ１２、調光ミラーアレイ１３の配置は設定されており、この結果、第１ディスプレイ１１の映像上に、第２ディスプレイ１２の映像が浮かんでいるようすを観察者に対して表示する３Ｄ表示が実現される。
【００２２】
さて、図１に戻り、第１ディスプレイコントローラ２は、制御ユニット５の出力する映像の第１ディスプレイ１１の第１ＬＣＤパネル１１１の映像表示を制御する第１表示コントローラ２１と、制御ユニット５の制御に従って第１バックライト１１２の明るさを調整する第１バックライトコントローラ２２とを備えている。また、同様に、第２ディスプレイコントローラ３は、制御ユニット５の出力する映像の第２ディスプレイ１２の第２ＬＣＤパネル１２１の映像表示を制御する第２表示コントローラ３１と、制御ユニット５の制御に従って第２バックライト１２２の明るさを調整する第２バックライトコントローラ３２とを備えている。
【００２３】
次に調光ミラーアレイコントローラ４は、調光ミラーアレイ１３の、個々の調光ミラーの光の透過率と反射率を制御ユニット５の制御に従って調整する。
そして、制御ユニット５は、第１表示コントローラ２１への第１ディスプレイ１１に表示する映像の出力や、第２表示コントローラ３１への第２ディスプレイ１２に表示する映像の出力を行いつつ、表示システムの３Ｄ表示を制御する。
以下、この制御ユニット５が行う表示システムの３Ｄ表示の制御動作について説明する。
図３に、表示システムの３Ｄ表示を制御するために、制御ユニット５が行う３Ｄ表示制御処理の手順を示す。
図示するように、この処理では、まず、車両状態センサ６が検出している自動車のバッテリの残量が所定のしきい値Ｔｈ未満となっているかどうかを調べ（ステップ３０２）、しきい値Ｔｈ未満となっていれば、第２表示コントローラ３１と第２バックライトコントローラ３２を制御して、第２ディスプレイ１２の表示を停止する（ステップ３１４）。より具体的には、ステップ３１２では、第２表示コントローラ３１の動作を停止すると共に、第２バックライトコントローラ３２に第２ディスプレイ１２の第２バックライト１２２を消灯させる。
【００２４】
そして、調光ミラーアレイコントローラ４に、調光ミラー１３１の全ての調光ミラー１３１のモードとして透過モードを設定する（ステップ３１６）。ここで、調光ミラーアレイコントローラ４は、各調光ミラー１３１のモードの設定として透過モードとハーフミラーモードとの設定を受け付け、透過モードが設定された調光ミラー１３１については、透明体として機能するように、その調光ミラー１３１の透過率と反射率を透過率１００％、反射率０％に調整し、ハーフミラーモードが設定された調光ミラー１３１については、ハーフミラーとして機能するように、その調光ミラー１３１の透過率と反射率を透過率５０％、反射率５０％に調整する。
【００２５】
そして、車両状態センサ６が検出している自動車のバッテリの残量がしきい値Ｔｈ以上に復帰するのを待ち（ステップ３１８）、復帰したならば、第２表示コントローラ３１の動作を起動し第２バックライトコントローラ３２に第２バックライト１２２を点灯させることにより第２ディスプレイ１２の表示を再開し（ステップ３２０）ステップ３０２からの処理に戻る。
【００２６】
一方、ステップ３０２で、自動車のバッテリの残量がしきい値Ｔｈ以上であると判定された場合には、第２ディスプレイ１２に表示する映像の変化の発生を第２表示コントローラ３１に出力する映像に基づいて監視する（ステップ３０４）。ただし、３Ｄ表示制御処理開始後に最初に実行するステップ３０４や、ステップ３１８で第２ディスプレイ１２の表示を再開した後の最初に実行するステップ３０４では、無条件に第２ディスプレイ１２に表示する映像の変化の発生したと判定するようにする。
【００２７】
そして、第２ディスプレイ１２に表示する映像の変化が発生したならば、第２ディスプレイ１２に表示する表示オブジェクトの領域を算定する（ステップ３０６）。ここで、表示オブジェクトとは、第２ディスプレイ１２に表示する映像中に表すオブジェクト（像）であり、図４ｂに示すように、第２ディスプレイ１２に表示する映像中に矢印を表すのであれば、この矢印が表示オブジェクトとなり、第２ディスプレイ１２の映像中の、この矢印の領域が表示オブジェクトの領域となる。なお、表示オブジェクトの領域は、第２ディスプレイ１２に表示する映像中の、画素値が黒ではない画素の領域として求めるようにすることもできる。
【００２８】
そして、第２ディスプレイ１２に表示する表示オブジェクトの領域を算定したならば（ステップ３０６）、次に、表示オブジェクトの領域に対応する調光ミラー１３１、すなわち、調光ミラーアレイ１３の調光ミラー１３１のうちの、第２ディスプレイ１２から出射された表示オブジェクトの上方向に進む映像光が入射する調光ミラー１３１の全てを算定する（ステップ３０８）。
【００２９】
そして、調光ミラーアレイコントローラ４に、算定した各調光ミラー１３１のモードとしてハーフミラーモードを設定し、算定した調光ミラー１３１以外の他の各調光ミラー１３１のモードとして透過モードを設定する（ステップ３１０）。
また、ハーフミラーモードに設定した調光ミラー１３１に対応する第１ディスプレイ１１の表示領域、すなわち、ハーフミラーモードに設定した調光ミラー１３１を観察者方向に透過する映像光を出射する第１ディスプレイ１１の表示領域の明るさ（輝度）を、ハーフミラーモードに設定した調光ミラー１３１の透過時に映像光が減衰する分増加し（ステップ３１２）、ステップ３０２からの処理に戻る。
【００３０】
ここで、ステップ３１２におけるハーフミラーモードに設定した調光ミラー１３１に対応する第１ディスプレイ１１の表示領域の明るさの増加は、制御ユニット５や第１表示コントローラ２１において、第１ディスプレイ１１に表示する映像を構成する画素のうちの、ハーフミラーモードに設定した調光ミラー１３１に対応する第１ディスプレイ１１の表示領域内に表示する画素であって画素値が黒でない各画素の画素値を輝度が増加するように変更することにより行う。ただし、第１バックライト１１２を所定の単位領域毎に照明光の明るさを変更可能に構成し、第１バックライトコントローラ２２に、ハーフミラーモードに設定した調光ミラー１３１に対応する第１ディスプレイ１１の表示領域の少なくとも一部を内部に含む各単位領域の照明光の明るさのみを増加させることにより行うようにすることもできる。
【００３１】
以上、制御ユニット５が行う３Ｄ表示制御処理について説明した。
なお、以上の３Ｄ表示制御処理のステップ３１２は必ずしも設ける必要はない。すなわち、たとえば、第２ディスプレイ１２が表示する表示オブジェクトと重なって視認される部分を表示する第１ディスプレイ１１の表示領域の表示内容が、表示オブジェクトによって隠れてしまっても支障のないものである場合や、当該表示領域の表示内容が全面黒である場合には、当該表示領域についても、その明るさを大きく維持する必要がないので、ステップ３１２の処理を省略するようにしてよい。
【００３２】
以下、このような３Ｄ表示制御処理の処理例について説明する。
いま、第１ディスプレイ１１に図４ａ１に示す映像を表示し、第２ディスプレイ１２に図４ｂに示すように矢印４０１を表した映像を表示することにより、図４ｃに示すように、図４ａ１の映像上に図４ｂの映像に含まれる矢印４０１が浮かんで表れるようすを表示システムとして表示する場合を例にとる。なお、第２ディスプレイ１２に表示する表示オブジェクトは、調光ミラーアレイ１３で一度反射した後に観察者に視認されるため、観察者が視認する表示オブジェクトの左右を反転したものとなる。また、図４ｂは、観察者手前側を図の下側として、第２ディスプレイ１２に表示する映像を表している。
【００３３】
この場合、図４ｄに示すように、調光ミラーアレイ１３の、第２ディスプレイ１２に表示される矢印４０１に対応する領域４１１の少なくとも一部を含む調光ミラー１３１がハーフミラーモードに設定されてハーフミラーとして機能し、第１ディスプレイ１１の映像を減衰しつつ観察者方向に透過しつつ、第２ディスプレイ１２に表示された矢印４０１の映像を観察者方向に反射する。一方、他の調光ミラー１３１は透明ガラスのごとき透明体として機能し、第１ディスプレイ１１に表示された映像をそのまま観察者方向に透過する。
【００３４】
一方、第１ディスプレイ１１には、図４ａ１に示す映像が、ハーフミラーモードに設定した調光ミラー１３１に対応する第１ディスプレイ１１の表示領域（図４ｄ４２１）の明るさが図４ａ２の４３１に示すように増加された上で表示され、これによって、図４ａ１に示す映像のハーフミラーモードに設定した調光ミラー１３１における減衰は補われることとなる。
【００３５】
結果、図４ｃに示すように、図４ａ１の映像上に図４ｂの映像に含まれる矢印４０１が浮かんで表れるようすが観察者によって視認されることとなる。
次に、第１ディスプレイ１１に図５ａ１に示す映像を表示し、第２ディスプレイ１２に図５ｂに示すように矢印５０１、速度５０２、速度バー５０３を表した映像を表示することにより、図５ｃに示すように、図５ａ１の映像上に図５ｂの映像に含まれる矢印５０１、速度５０２、速度バー５０３が浮かんで表れるようすを表示システムとして表示する場合を例にとる。なお、叙述のように第２ディスプレイ１２に表示する表示オブジェクトは、調光ミラーアレイ１３で一度反射した後に観察者に視認されるため、観察者が視認する表示オブジェクトの左右を反転したものとなる。また、図５ｂは、観察者手前側を図の下側として、第２ディスプレイ１２に表示する映像を表している。
【００３６】
この場合、図５ｄに示すように、調光ミラーアレイ１３の、第２ディスプレイ１２に表示される矢印５０１に対応する領域５１１の少なくとも一部を含む調光ミラー１３１と、第２ディスプレイ１２に表示される速度５０２、速度バー５０３に対応する領域５１２の少なくとも一部を含む調光ミラー１３１とがハーフミラーモードに設定されてハーフミラーとして機能し、第１ディスプレイ１１の映像を減衰しつつ観察者方向に透過しつつ、第２ディスプレイ１２に表示された矢印５０１、速度５０２、速度バー５０３の映像を観察者方向に反射する。一方、他の調光ミラー１３１は透明ガラスのごとき透明体として機能し、第１ディスプレイ１１に表示された映像をそのまま観察者方向に透過する。
【００３７】
一方、第１ディスプレイ１１には、図５ａ１に示す映像が、ハーフミラーモードに設定した調光ミラー１３１に対応する第１ディスプレイ１１の表示領域（図５ｄ５２１、５２２）の明るさが図５ａ２の５３１、５３２に示すように増加された上で表示され、これによって、図５ａ１に示す映像のハーフミラーモードに設定した調光ミラー１３１における減衰は補われることとなる。
【００３８】
結果、図５ｃに示すように、図５ａ１の映像上に図５ｂの映像に含まれる矢印５０１、速度５０２、速度バー５０３が浮かんで表れるようすが観察者によって視認されることとなる。
以上、本発明の実施形態について説明した。
以上のように本実施形態によれば、第１ディスプレイ１１に表示する映像の第２ディスプレイ１２に表示する表示オブジェクトと重なって視認されない部分の映像は、調光ミラーアレイ１３の透明に制御された調光ミラー１３１を観察者方向に透過するので、ハーフミラーを透過する場合のように大きな減衰無く観察者に届く。したがって、第１ディスプレイ１１の表示オブジェクトと重なって視認されない部分を表示する表示領域については、その明るさ（輝度）を大きく維持する必要がなくなり、結果、表示システムの消費電力を低減することができるようになる。また、上述のように、第２ディスプレイ１２が表示する表示オブジェクトと重なって視認される部分を表示する第１ディスプレイ１１の表示領域の表示内容が表示オブジェクトによって隠れてしまっても支障のものである場合や、当該表示領域の表示内容が全面黒である場合には、第１ディスプレイ１１の全体について、その明るさ（輝度）を大きく維持する必要がないので、さらに、表示システムの消費電力を低減することができるようになる。
【００３９】
ところで、以上の実施形態は、３Ｄ表示制御処理のステップ３１２で第２表示コントローラ３１の動作を停止してからステップ３２０で第２表示コントローラ３１の動作を起動するまでの間、すなわち、第２ディスプレイ１２の表示を停止している間、制御ユニット５において、第２表示コントローラ３１へ出力すべき表示オブジェクトを含む映像を、第１表示コントローラ２１へ出力する映像上に合成して、第１表示コントローラ２１に出力することにより、表示オブジェクトを第１ディスプレイ１１に表示する映像に合成して、第１ディスプレイ１１に表示するようにしてもよい。このようにすることにより、３Ｄ表示は行えないものの、表示オブジェクトを第１ディスプレイ１１に表示する映像上に表した表示を行うことができる。
【００４０】
また、以上の実施形態は、表示システムの動作モードとして２Ｄ表示モードを設け、ユーザ操作などの所定の契機で動作モードを２Ｄ表示モードに設定し、制御ユニット５において、当該２Ｄ表示モードを設定している期間中、第２表示コントローラ３１の動作を停止し、第２バックライトコントローラ３２に第２ディスプレイ１２の第２バックライト１２２を消灯させ、調光ミラーアレイコントローラ４に、調光ミラー１３１の全ての調光ミラー１３１のモードとして透過モードを設定させると共に、第２表示コントローラ３１へ出力すべき表示オブジェクトを含む映像を、第１表示コントローラ２１へ出力する映像上に合成して、第１表示コントローラ２１に出力することにより、表示オブジェクトを第１ディスプレイ１１に表示する映像に合成して、第１ディスプレイ１１に表示するようにしてもよい。
【００４１】
また、以上の実施形態では自動車に搭載する表示システムへの適用を例にとり説明したが、本実施形態は、車載以外の任意の表示システムに同様に適用することができる。
【符号の説明】
【００４２】
１…ディスプレイユニット、２…第１ディスプレイコントローラ、３…第２ディスプレイコントローラ、４…調光ミラーアレイコントローラ、５…制御ユニット、６…車両状態センサ、１１…第１ディスプレイ、１２…第２ディスプレイ、１３…調光ミラーアレイ、２１…第１表示コントローラ、２２…第１バックライトコントローラ、３１…第２表示コントローラ、３２…第２バックライトコントローラ、１１１…第１ＬＣＤパネル、１１２…第１バックライト、１２１…第２ＬＣＤパネル、１２２…第２バックライト、１３１…調光ミラー。
【図１】
2014160167.tif 000003
【図２】
2014160167.tif 000004
【図３】
2014160167.tif 000005
【図４】
2014160167.tif 000006
【図５】
2014160167.tif 000007